(57)【要約】【課題】画像コンテンツ閲覧機能と遠隔操作機能との間の切り替えが容易となる画像コンテンツ送信サーバを提供すること。【解決手段】ネットワークを介して接続された画像表示装置に対してデスクトップ画面のデータを送信し、さらに、画像表示装置に接続された入力部からの入力を受け付ける、遠隔操作サービス部と、画像表示装置に対し、画像コンテンツ送信サーバが管理する画像コンテンツの識別情報のリストを送信し、画像表示装置に接続された入力部により指示された識別情報のリストに含まれる画像コンテンツの識別情報に基づいて、画像コンテンツを、画像表示装置に対して送信する、画像コンテンツ送信サービス部と、遠隔操作サービス部と画像コンテンツ送信サービス部とが実現するサービスを、当該サービスが発見される一の発見プロトコルにより画像表示装置に対して広告するサービス広告部と、を有する画像コンテンツ送信サーバ。【選択図】図２
2010056966.tif 000002
【特許請求の範囲】
【請求項１】
画像コンテンツ送信サーバであって、
ネットワークを介して接続された画像表示装置に対して該画像コンテンツ送信サーバに接続された他の表示装置に表示するデスクトップ画面のデータを送信し、さらに、前記画像表示装置に接続された入力部からの入力を受け付ける、遠隔操作サービス部と、
前記画像表示装置に対し、当該画像コンテンツ送信サーバが管理する画像コンテンツの識別情報のリストを送信し、前記画像表示装置に接続された入力部により指示された前記識別情報のリストに含まれる画像コンテンツの識別情報に基づいて、該画像コンテンツを、前記画像表示装置に対して送信する、画像コンテンツ送信サービス部と、
前記遠隔操作サービス部と前記画像コンテンツ送信サービス部とが実現するサービスを、当該サービスが発見される一の発見プロトコルにより前記画像表示装置に対して広告するサービス広告部と、
を有する画像コンテンツ送信サーバ。
【請求項２】
前記遠隔操作サービス部及び前記画像コンテンツ送信サービス部へのアクセスの要求を受け付けるか否かの判断を、前記画像表示装置の識別情報に基づいて制御するアクセス制御部を有する請求項１記載の画像コンテンツ送信サーバ。
【請求項３】
前記アクセス制御部は、当該アクセス制御部の存在を、前記一の発見プロトコルにより広告する請求項１又は２記載の画像コンテンツ送信サーバ。
【請求項４】
ネットワークインタフェースと、
前記ネットワークインタフェースによりネットワークを介して接続された画像コンテンツ送信サーバから、前記画像コンテンツ送信サーバに接続された他の表示装置に表示されるデスクトップ画面のデータを受信して当該画像表示装置が有する表示部に出力し、さらに、当該画像表示装置に接続された入力部からの入力を前記画像コンテンツ送信サーバに対して送信する、遠隔操作クライアント部と、
前記画像コンテンツ送信サーバが管理する画像コンテンツの識別情報のリストを前記画像コンテンツ送信サーバから受信し、前記入力部から入力された前記画像コンテンツの識別情報と該画像コンテンツを取得する要求とを前記画像コンテンツ送信サーバに対して送信し、前記画像コンテンツを、前記画像コンテンツ送信サーバから受信して表示する、画像コンテンツ受信クライアント部と、
前記遠隔操作クライアント部と、前記画像コンテンツ受信クライアント部と、のうち何れか一が選択されるユーザインタフェースを提供するユーザインタフェース部と、
を有する画像表示装置。
【請求項５】
前記画像コンテンツ受信クライアント部が、前記画像コンテンツを前記画像コンテンツ送信サーバから受信することができない場合に、
前記遠隔操作クライアント部による前記デスクトップ画面のデータの受信と該デスクトップ画面の表示を行う請求項４記載の画像表示装置。
【請求項６】
遠隔操作サービス部と、画像コンテンツ送信サービス部とが実現するサービスを、当該サービスを発見する一の発見プロトコルにより画像表示装置に対して広告する広告ステップを有し、
前記遠隔操作サービス部は、
当該画像コンテンツ送信サーバに接続された他の表示装置に表示するデスクトップ画面のデータを、ネットワークを介して接続された画像表示装置に対して送信するデスクトップ画面送信ステップと、
前記画像表示装置に接続された入力部からの入力を受け付ける入力受け付けステップと、
を有し、
前記画像コンテンツ送信サービス部は、
前記画像表示装置に対し、当該画像コンテンツ送信サーバが管理する画像コンテンツの識別情報のリストを送信するリスト送信ステップと、
前記画像表示装置に接続された入力部により指示された前記識別情報のリストに含まれる画像コンテンツの識別情報に基づいて、該画像コンテンツを、前記画像表示装置に対して送信する、画像コンテンツ送信ステップと、
を有する画像コンテンツ送信方法。
【請求項７】
遠隔操作クライアントステップと、画像コンテンツ受信クライアントステップと、のうち何れか一のステップが選択される選択画面を表示する画面表示ステップと、
前記選択画面に基づいて入力された情報を取得する情報取得ステップと、
前記情報取得ステップにおいて取得された情報に基づいて、前記遠隔操作クライアントステップ又は前記画像コンテンツ受信クライアントステップと、のうち何れか一のステップを実行させる実行ステップと、
を有し、
前記遠隔操作クライアントステップは、
ネットワークインタフェースによりネットワークを介して接続された画像コンテンツ送信サーバから、前記画像コンテンツ送信サーバに接続された他の表示装置に表示されるデスクトップ画面のデータを受信して当該画像表示装置が有する表示部に出力するデスクトップ画面出力ステップと、
当該画像表示装置に接続された入力部からの入力を前記画像コンテンツ送信サーバに対して送信する入力送信ステップと、
を有し、
前記画像コンテンツ受信クライアントステップは、
前記画像コンテンツ送信サーバが管理する画像コンテンツの識別情報のリストを前記画像コンテンツ送信サーバから受信するリスト受信ステップと、
前記入力部から入力された前記画像コンテンツの識別情報と該画像コンテンツを取得する要求とを前記画像コンテンツ送信サーバに対して送信する識別情報送信ステップと、
前記画像コンテンツを、前記画像コンテンツ送信サーバから受信して表示する、画像コンテンツ表示ステップと、
を有する画像表示方法。
【発明の詳細な説明】
【技術分野】
【０００１】
本発明は、画像コンテンツ送信サーバ、画像表示装置、画像コンテンツ送信方法、及び、画像表示方法に関する。
【背景技術】
【０００２】
近年の家庭内ＬＡＮの普及に伴い、家庭内のパーソナルコンピュータ（以下、「パソコン」という。）に蓄えられた画像コンテンツを、ネットワークを介して接続された別の機器で閲覧する機能（以下、「画像コンテンツ閲覧機能」という。）が普及してきている。例えば、ＤＬＮＡ（Ｄｉｇｉｔａｌ  Ｌｉｖｉｎｇ  Ｎｅｔｗｏｒｋ  Ａｌｌｉａｎｃｅ）に準拠した機器を用いると、パソコンに蓄えられた画像コンテンツを、ネットワークを介して接続された他のパソコンやＴＶで閲覧することができる。
【０００３】
例えば、特開２００８−１１８１８１号公報（特許文献１）では、複数のサーバ及び通信路からそれぞれに応じた符号化方式により、画像データを受信して表示する通信装置の技術が開示されている。
【０００４】
一方、パソコン上で動作するソフトウェアとして、ネットワークを介して接続された別のパソコンの画面を表示させ、そのパソコンの機能を遠隔操作するものが存在する。このソフトウェアを用いれば、パソコンで復号及び表示することができる画像コンテンツであれば、その画像表示装置が直接復号及び表示できない画像コンテンツであっても、閲覧することができる。この機能を「遠隔操作機能」という。なお、この場合には、例えば、フレームレート等の画質は劣化することがある。
【０００５】
上記の画像コンテンツ閲覧機能と、遠隔操作機能とを併せて用いれば、その画像表示装置で再生することの出来なかった画像コンテンツについては、遠隔操作機能で閲覧することができる。
【０００６】
【特許文献１】特開２００８−１１８１８１号公報
【発明の開示】
【発明が解決しようとする課題】
【０００７】
しかしながら、従来、画像コンテンツ閲覧機能と遠隔操作機能とは完全に独立した機能として実現されているため、ユーザは、それぞれの機能について、別個の手順で、サービス発見と、アクセス制御設定とを行う必要があり、その手順が煩雑なものとなってしまうという問題があった。例えば、Ｗｉｎｄｏｗｓ（登録商標）  Ｖｉｓｔａ上で動作させる画像コンテンツ送信サーバ機能の例では、画像コンテンツ閲覧機能の例であるＷｉｎｄｏｗｓ（登録商標）  Ｍｅｄｉａ  Ｃｏｎｎｅｃｔと、遠隔操作機能の例であるＲｅｍｏｔｅ  Ｄｅｓｋｔｏｐとでは、アクセスの可否を個別に設定する必要がある。
【０００８】
そこで、画像コンテンツ閲覧機能で閲覧できなかった場合に、遠隔操作機能へ移ることとなる。これらの機能が個別のユーザインタフェースで実現されているため、遠隔操作機能へ移るためのステップが多く、操作者は双方の操作手順を理解しなくてはならず、手順が判りにくくなるという問題があった。
【０００９】
本発明は、上記の点に鑑みて、これらの問題を解消するために発明されたものであり、画像コンテンツ閲覧機能と遠隔操作機能との間の切り替えが容易となる画像コンテンツ送信サーバを提供することを目的としている。
【課題を解決するための手段】
【００１０】
上記目的を達成するために、本発明の画像コンテンツ送信サーバは次の如き構成を採用した。
【００１１】
本発明の画像コンテンツ送信サーバは、画像コンテンツ送信サーバであって、ネットワークを介して接続された画像表示装置に対して該画像コンテンツ送信サーバに接続された他の表示装置に表示するデスクトップ画面のデータを送信し、さらに、前記画像表示装置に接続された入力部からの入力を受け付ける、遠隔操作サービス部と、前記画像表示装置に対し、当該画像コンテンツ送信サーバが管理する画像コンテンツの識別情報のリストを送信し、前記画像表示装置に接続された入力部により指示された前記識別情報のリストに含まれる画像コンテンツの識別情報に基づいて、該画像コンテンツを、前記画像表示装置に対して送信する、画像コンテンツ送信サービス部と、前記遠隔操作サービス部と前記画像コンテンツ送信サービス部とが実現するサービスを、当該サービスが発見される一の発見プロトコルにより前記画像表示装置に対して広告するサービス広告部と、を有する構成とすることができる。
【００１２】
なお、上記課題を解決するため、本発明は、上記画像コンテンツ送信サーバにおける画像コンテンツ送信方法としてもよい。また、本発明は、画像コンテンツを受信して表示する画像表示装置及びその画像表示装置における画像表示方法としてもよい。
【発明の効果】
【００１３】
本発明の画像コンテンツ送信サーバ、画像コンテンツ送信方法、画像表示装置、及び、画像表示方法によれば、画像コンテンツ閲覧機能と遠隔操作機能との間の切り替えが容易となる画像コンテンツ送信サーバ、画像コンテンツ送信方法、画像表示装置、及び、画像表示方法を提供することが可能になる。
【発明を実施するための最良の形態】
【００１４】
以下、本実施の形態を図面に基づき説明する。
〔実施の形態〕
本実施の形態の説明に先んじて、画像コンテンツを送信する機能を実現するシステムの概略について、以下説明する。
【００１５】
画像コンテンツ閲覧機能によれば、画像コンテンツ送信サーバからネットワークを介して接続された画像表示装置に対して、画像コンテンツを送信し、画像表示装置がその画像コンテンツを再生することにより、画像を閲覧することができる。画像表示装置は、例えば、ネットワークを介して接続された他のパソコン、テレビ等をいう。
【００１６】
このようなシステムでは、画像表示装置の表示能力や、送信サーバと画像表示装置の間のネットワークの帯域によっては、閲覧することのできないコンテンツが多く存在してしまう。画像表示装置の表示能力とは、例えば、表示できる画像のサイズ、動画のビットレート、及び、画像フォーマットである。
【００１７】
より詳細には、例えば、ＩＥＥＥ  ８０２．１１ｇの無線ＬＡＮにおいて、アクセスポイントとの電波状況により、リンクスピードが１０Ｍｂｐｓに設定されている場合には、１２ＭｂｐｓでエンコードされたＭＰＥＧ−２コンテンツを送受信することができない。
【００１８】
また例えば、画像表示装置がＭＰＥＧ−２規格による画像コンテンツのみの復号及び表示が可能な画像表示装置の場合には、ＭＰＥＧ−４の画像コンテンツを閲覧することができない。また例えば、画像表示装置がＭＰＥＧ−２の画像コンテンツのうちＳＤ解像度のみの復号及び表示が可能な場合には、ＨＤ解像度のＭＰＥＧ−２の画像コンテンツを閲覧することができない。
【００１９】
一方、遠隔操作機能によれば、例えば、パソコンにより表示されるデスクトップ画面を、画像表示装置に送信することにより、パソコン側で再生されている画像コンテンツを、画像表示装置で閲覧することができる。なお、「デスクトップ画面」とは、パソコン等により表示装置に表示される画面をいう。デスクトップ画面は、また、パソコン等により表示される画面の全体を指してもよい。例えば、Ｗｉｎｄｏｗｓ（登録商標）等のＯＳにより、マルチウィンドウシステムが実現されている場合には、そのＯＳにより画像表示装置に表示される画像の全体を指してもよい。
【００２０】
画像コンテンツ閲覧機能と遠隔操作機能との２つの機能を併せて利用できるシステムとしては、Ｗｉｎｄｏｗｓ（登録商標）  Ｖｉｓｔａを搭載したパソコンがある。Ｗｉｎｄｏｗｓ（登録商標）  Ｖｉｓｔａでは、Ｗｉｎｄｏｗｓ（登録商標）  Ｍｅｄｉａ  Ｃｏｎｎｅｃｔが画像コンテンツ閲覧機能に相当し、Ｒｅｍｏｔｅ  Ｄｅｓｋｔｏｐが遠隔操作機能に相当する。
【００２１】
より詳細には、例えば、Ｗｉｎｄｏｗｓ（登録商標）  Ｖｉｓｔａを搭載したパソコンを２台用意し、Ｗｉｎｄｏｗｓ（登録商標）  Ｍｅｄｉａ  Ｃｏｎｎｅｃｔ機能のサーバ機能とＲｅｍｏｔｅ  Ｄｅｓｋｔｏｐ機能のサーバ機能を１台のパソコンで動作させ、もう一台のパソコンでＷｉｎｄｏｗｓ（登録商標）  Ｍｅｄｉａ  Ｃｏｎｎｅｃｔ機能のクライアント機能とＲｅｍｏｔｅ  Ｄｅｓｋｔｏｐ機能のクライアント機能を動作させる。
【００２２】
これにより、画像コンテンツをそのまま転送・表示できる場合には、Ｗｉｎｄｏｗｓ（登録商標）  Ｍｅｄｉａ  Ｃｏｎｎｅｃｔ機能を利用し、画像コンテンツをそのまま転送・表示できない場合には、Ｒｅｍｏｔｅ  Ｄｅｓｋｔｏｐ機能を利用することで、その画像コンテンツを何れかの機能により閲覧することができる。
【００２３】
そこで、Ｗｉｎｄｏｗｓ（登録商標）  Ｖｉｓｔａにおいて、Ｗｉｎｄｏｗｓ（登録商標）  Ｍｅｄｉａ  Ｃｏｎｎｅｃｔから  Ｒｅｍｏｔｅ  Ｄｅｓｋｔｏｐに移る場合には、Ｒｅｍｏｔｅ  Ｄｅｓｋｔｏｐのアイコンをウィンドウズ全体のアプリケーションを選択するためのメニューから探し出し、その後、接続先となるパソコンのアドレスを入力して初めてＲｏｍｏｔ  Ｄｅｓｋｔｏｐによる接続を試みることができる。さらには、そのような操作が必要であることをユーザ自らが発見し、実行する必要があった。
【００２４】
（第１の実施形態）
図１は、本実施形態に係る統合サーバ１００と画像表示装置２００とが動作するシステム構成を示す図である。図１の統合サーバ１００は、ネットワーク８００を介して無線ＬＡＮ（Ｌｏｃａｌ  Ａｒｅａ  Ｎｅｔｗｏｒｋ）アクセスポイント３００に接続されている。無線ＬＡＮアクセスポイント３００は、さらに、無線により画像表示装置２００に接続されている。なお、画像表示装置２００は、無線ＬＡＮアクセスポイント３００に接続されることなく、ネットワーク８００に直接接続されてもよい。
【００２５】
統合サーバ１００は、画像コンテンツ送信サーバ機能と、遠隔操作機能とを実現する。画像コンテンツ送信サーバ機能は、画像コンテンツ閲覧機能におけるサーバ側の機能を実現する。
【００２６】
図２は、図１の統合サーバ１００及び画像表示装置２００の機能ブロックを説明する図である。以下の説明では、統合サーバ１００と画像表示装置２００との間の通信は、インターネットプロトコルを用いて通信するが、本発明の実施の形態では、その他の通信プロトコルを利用しても構わない。
【００２７】
統合サーバ１００は、画像コンテンツ送信サーバ部１１０、遠隔操作サーバ部１２０、アクセス制御部１３０、サービス広告部１４０、及び、通信インタフェース（以下、「ＩＦ」という。）部１９０を有する。
【００２８】
画像コンテンツ送信サーバ部１１０は、画像コンテンツ送信機能におけるサーバ側の機能を実現する。画像コンテンツ送信サーバ部１１０は、画像表示装置２００に対し、画像コンテンツの識別情報のリストを送信する。画像コンテンツ送信サーバ部１１０は、また、画像表示装置２００が有する入力受付部２７０から入力された画像コンテンツの識別情報に基づいて、その画像コンテンツを画像表示装置２００に対して送信する。
【００２９】
遠隔操作サーバ部１２０は、統合サーバ１００に接続された図示しない他の表示装置に表示される画面のデータを、画像表示装置２００に対して送信する。表示装置に表示される画面は、例えば、デスクトップ画面である。遠隔操作サーバ部１２０は、また画像表示装置２００が有する入力受付部２７０からの入力を受け付け、その入力に基づいて処理を行う。
【００３０】
アクセス制御部１３０は、画像コンテンツ送信サーバ部１１０と遠隔操作サーバ部１２０とへのアクセスの要求を受け付けるか否かの判断を行う。統合サーバ１００に接続される画像表示装置が複数の場合には、アクセス制御部１３０は、その判断の結果を、画像表示装置毎の識別情報により、区別して管理する。
【００３１】
サービス広告部１４０は、画像コンテンツ送信サーバ部１１０及び遠隔操作サーバ部１２０のそれぞれが実現する機能（サービス）を、一の発見プロトコルにより、画像表示装置２００に対して広告する。通信ＩＦ部１９０は、ネットワーク８００を介して画像表示装置２００等と通信を行う際のインタフェースである。
【００３２】
画像表示装置２００は、画像コンテンツ受信クライアント部２１０、遠隔操作クライアント部２２０、アクセス要求部２３０、サービス発見部２４０、ユーザインタフェース（以下、「ＵＩ」という。）処理部２５０、表示部２６０、入力受付部２７０、及び、通信ＩＦ部２９０を有する。なお、本発明の実施の形態では、表示部２６０と入力受付部２７０とは、その両方又は何れか一方が、画像表示装置２００の外に設けられてもよい。
【００３３】
画像コンテンツ受信クライアント部２１０は、統合サーバ１００が管理する画像コンテンツの識別情報のリストを受信する。画像コンテンツ受信クライアント部２１０は、また、入力受付部２７０から入力された画像コンテンツの識別情報と、その識別情報に対応する画像コンテンツの取得要求と、を統合サーバ１００に対して送信する。画像コンテンツ受信クライアント部２１０は、またさらに、その画像コンテンツを統合サーバ１００から受信し、表示部２６０に表示させる。
【００３４】
遠隔操作クライアント部２２０は、統合サーバ１００に接続された表示装置に表示される画面のデータを受信する。この画面は、例えば、デスクトップ画面である。遠隔操作クライアント部２２０は、また、受信した画面のデータを、表示部２６０に出力することにより、その画面を表示部２６０に表示させる。遠隔操作クライアント部２２０は、また、入力受付部２７０からの入力を、統合サーバ１００が有する遠隔操作サーバ部１２０に対して送信する。
【００３５】
アクセス要求部２３０は、統合サーバ１００が有する画像コンテンツ送信サーバ部１１０又は遠隔操作サーバ部１２０へのアクセス要求を行う。サービス発見部２４０は、統合サーバ１００が有するサービス広告部１４０から出力される、統合サーバ１００が実現する機能の情報を受信し、その機能の内容とその機能の使用方法とを取得する。なお、本実施の形態では、統合サーバ１００が実現する機能を「サービス」ともいう。
【００３６】
ＵＩ処理部２５０は、表示部２６０に表示する画面を生成する。ＵＩ処理部２５０は、画像コンテンツ受信クライアント部２１０により受信された画像コンテンツを再生する画面を生成する。ＵＩ処理部２５０は、また、遠隔操作クライアント部２２０により受信されたデスクトップ画面を表示する画面を生成する。なお、デスクトップ画面を表示する画面は、デスクトップ画面と同一でもよい。ＵＩ処理部２５０は、また例えば、画像表示装置２００が有する各機能に対する指示の入力を促す画面を生成してもよい。
【００３７】
ＵＩ処理部２５０は、入力受付部２７０からの入力を遠隔操作クライアント部２２０、アクセス要求部２３０、及び、サービス発見部２４０等に出力する。ＵＩ処理部２５０によって処理される入力受付部２７０からの信号は、ＵＩ処理部２５０が生成した画面に基づいて、操作者により入力受付部２７０から入力されたものでよい。
【００３８】
表示部２６０は、ＵＩ処理部２５０により生成される各画面を表示する。表示部２６０は、画像コンテンツを表示する画面、又は、統合サーバ１００から送信されるデスクトップ画面等を表示する。
【００３９】
入力受付部２７０は、画像表示装置２００に対して入力される指示を受け付ける。入力受付部２７０が受け付ける指示は、画像表示装置２００の機能、又は、統合サーバ１００が実現する機能に対するものである。
【００４０】
通信ＩＦ部２９０は、ネットワークを介して統合サーバ１００との通信を行う際のインタフェースである。
【００４１】
＜サービス発見の手順＞
図３は、サービス発見の手順を説明するシーケンス図である。統合サーバ１００のサービス広告部１４０は、単一のサービス発見プロトコルを利用して、自身のサービスである、画像コンテンツ送信、及び、遠隔操作の二つのサービスを画像表示装置２００に対して広告する。
【００４２】
図３のステップＳ１０１では、サービス広告部１４０からサービス発見部２４０に対し、サービスの保持を広告するメッセージＭ３１が送信される。メッセージＭ３１には、統合サーバ１００の識別情報が含まれるとよい。メッセージＭ３１は、不特定多数のクライアントとなる装置に知らせるために、マルチキャストやブロードキャストが利用される。
【００４３】
ステップＳ１０１に続いてステップＳ１０２に進み、ステップＳ１０１でメッセージＭ３１を受信したサービス発見部２４０からサービス広告部１４０に対し、メッセージＭ３１によりサービスを保持していることを広告した機器が保持するサービスのリストを取得することを要求するメッセージＭ３２を送信する。
【００４４】
ステップＳ１０２に続いてステップＳ１０３に進み、ステップＳ１０２でメッセージＭ３２を受信したサービス広告部１４０からサービス発見部２４０に対し、統合サーバ１００が保持するサービスのリストを送信する。より詳細には、画像コンテンツ送信サービス、及び、遠隔操作サービスのリストを送信する応答メッセージＭ３３が送信される。
【００４５】
ステップＳ１０３に続いてステップＳ１０４に進み、ステップＳ１０３でメッセージＭ３３を受信した画像表示装置２００のサービス発見部２４０からサービス広告部１４０に対し、受信したサービスのリストの情報をもとに、それぞれのサービスの詳細情報の取得を要求するメッセージＭ３４を送信する。サービスの詳細情報とは、例えば、サービスの利用方法に関する情報である。
【００４６】
ステップＳ１０４に続いてステップＳ１０５に進み、ステップＳ１０４でメッセージＭ３４を受信したサービス広告部１４０からサービス発見部２４０に対し、サービスの詳細情報を表す応答メッセージＭ３５を送信する。
【００４７】
ステップＳ１０５に続いてステップＳ１０６に進み、ステップＳ１０５でメッセージＭ３５を受信したサービス発見部２４０からＵＩ処理部２５０に対し、発見した統合サーバ１００の識別情報と、その統合サーバ１００が有するサービスの種別の情報と、を、ＵＩ処理部２５０に通知する。
【００４８】
ステップＳ１０６の処理に続いて、ＵＩ処理部２５０が、提供することのできるサービスをユーザに提示する画面を生成して表示部２６０に表示させる。これにより、ユーザが、提示された情報から、サービスを受けたい機器、及び、サービス等を入力受付部２７０により選択する。選択された情報は、ＵＩ処理部２５０に送信される。
【００４９】
なお、以上の処理は、一つ前のメッセージの受信側から送信元に対して、次のメッセージが送信されることにより、複数の画像表示装置２００が設けられているシステムにおいても、メッセージを受信している画像表示装置２００が、統合サーバ１００とメッセージの送受信を行うことができる。
【００５０】
図３のステップＳ１０１からステップＳ１０５の処理は、例えば、ＵＰｎＰ（Ｕｎｉｖｅｒｓａｌ  Ｐｌｕｇ  ａｎｄ  Ｐｌａｙ）を用いることにより実現することができる。図４は、ＵＰｎＰを用いる場合のメッセージＭ３３の構成例を示す図である。図４では、「サーバの種類」、「サーバの識別子」、及び、「サービスの一覧」の情報が含まれている。サービスの一覧には、さらに、サービスの種類毎に、サービスのＵＲＬが対応づけられた情報が含まれている。
【００５１】
図５は、ＵＰｎＰを用いる場合のサービス発見のフローにおけるメッセージの詳細を示す図である。図５では、図３のステップＳ１０１、ステップＳ１０２、及び、ステップＳ１０４におけるメッセージの詳細を示している。メッセージＭ３１は、サービス一覧へのＵＲＬとして、例えば、「ｈｔｔｐ：／／１９２．１６８．０．１：５５５５５／」が示されている。
【００５２】
メッセージＭ３２は、「ＨＴＴＰ  ＧＥＴ」が用いられ、引数は「ｈｔｔｐ：／／１９２．１６８．０．１：５５５５５／」が示されている。メッセージＭ３４は、「ＨＴＴＰ  ＧＥＴ」が用いられ、引数は「ｈｔｔｐ：／／１９２．１６８．０．１：５５５５５／ＣｏｎｔｅｎｔＤｉｒｅｃｔｒｙ．ｘｍｌ」が示されている。
【００５３】
図３から図５の実施の形態によれば、画像コンテンツ送信サービスおよび遠隔操作サービスを持つ統合サーバ１００のそれぞれのサービスを、画像表示装置２００が、一の発見プロトコルで発見することができ、操作者が、双方のサービスを使い分けながら画像コンテンツを閲覧する際に、その処理のステップを削減することができる。
【００５４】
＜アクセス制御の手順＞
図６は、統合サーバ１００が有するサービスへのアクセス制御の手順を説明する図である。ユーザが入力受付部２７０から入力する情報に基づき、アクセス要求部２３０が、発見された統合サーバ１００へのアクセスを要求し、アクセスの許可又は拒否が応答される。
【００５５】
図６のステップＳ２０１では、ＵＩ処理部２５０からアクセス要求部２３０に対し、ユーザが入力受付部２７０に入力した情報が出力される。出力される情報は、統合サーバ１００へのアクセス許可要求である。
【００５６】
ステップＳ２０１に続いてステップＳ２０２に進み、アクセス要求部２３０からアクセス制御部１３０に対し、統合サーバ１００へのアクセス許可要求であるメッセージＭ６１が出力される。
【００５７】
ステップＳ２０２に続いてステップＳ２０３に進み、アクセス制御部１３０が、ステップＳ２０２でメッセージＭ６１を送信した画像表示装置２００に対し、既にアクセスを許可しているか、又は、拒否しているか、を確認する。この確認は、アクセス許可リストに基づいて行われる。
【００５８】
その画像表示装置２００に対してアクセスが許可されている場合には、ステップＳ２０４に進み、拒否されている場合には、ステップＳ２０５に進み、未確定の場合には、ステップＳ２０６に進む。
【００５９】
ステップＳ２０３に続くステップＳ２０４では、アクセス制御部１３０からアクセス要求部２３０に対し、アクセスが許可済みである旨を示すメッセージＭ６２が送信される。また、ステップＳ２０３に続くステップＳ２０５では、アクセス制御部１３０からアクセス要求部２３０に対し、アクセスが拒否済みである旨を示すメッセージＭ６３が送信される。
【００６０】
一方、ステップＳ２０３に続くステップＳ２０６では、統合サーバ１００に接続された表示装置に対し、アクセスを許可するか否かの入力を促す画面が表示される。この画面に基づいて、操作者により、画像表示装置２００から統合サーバ１００に対するアクセスの許可の指示又は拒否の指示が入力される。
【００６１】
ステップＳ２０６に続いてステップＳ２０７に進み、アクセス制御部１３０からアクセス要求部２３０に対し、ステップＳ２０６で入力された指示に対応するアクセス許可又はアクセス拒否のメッセージＭ６４が送信される。
【００６２】
ステップＳ２０７に続いてステップＳ２０８に進み、アクセス制御部１３０が、アクセス制御リストを、ステップＳ２０６で入力された指示に対応させて更新する。
【００６３】
なお、アクセス許可リストは、例えば、画像表示装置２００の通信ＩＦ部２９０のＭＡＣアドレスとアクセス許可又はアクセス拒否に係る情報とを対応づけて保持するものである。ＭＡＣアドレスは、例えば、画像表示装置２００との通信により取得される。アクセス許可リストは、例えば、ステップＳ２０６における操作者による選択が行われた際に更新されるとよい。アクセス許可リストに含まれる情報は、統合サーバ１００が有する画像コンテンツ送信サーバ部１１０及び遠隔操作サーバ部１２０から参照される。
【００６４】
アクセス許可リストは、またさらに、一の画像表示装置に対し、画像コンテンツ閲覧機能と、遠隔操作機能と、のそれぞれに対して、アクセスの可否に係る情報が対応づけられてもよい。これにより、画像表示装置毎に、画像コンテンツ閲覧機能と遠隔操作機能とのそれぞれのアクセスの許可又は拒否を管理することができる。
【００６５】
アクセス許可リストは、例えば、図示しない記憶装置等に格納されるとよい。アクセス許可リストは、また、コンピュータ読み取り可能な情報記録媒体に格納され、その情報記録媒体がドライブ装置等に挿入されることにより、統合サーバ１００における処理に供せられるとよい。
【００６６】
なお、図３及び図５に示すフローの手順では、画像表示装置２００は、発見プロトコルにより発見した統合サーバ１００が、アクセス制御部１３０を有することと、そのアクセス制御部１３０の利用方法に係る情報とを、予め取得し保持しておく必要がある。すなわち、画像表示装置２００は、アクセス制御部１３０の利用に係る情報が予め取得されていない統合サーバ１００に対しては、アクセス制御部１３０を利用することができない。
【００６７】
そこで、図３のステップＳ１０３において、統合サーバ１００が有するサービスを広告する際に、アクセス制御部１３０の利用方法に係る情報を広告することで、画像表示装置２００が、そのアクセス制御部１３０を適切に利用することができる。
【００６８】
図７は、アクセス制御部１３０の存在及びその利用方法に係る情報とを含むメッセージＭ３３の例である。図７の情報ａが、アクセス制御部１３０の存在及びその利用方法に係る情報である。
【００６９】
＜画像コンテンツ閲覧処理＞
図８は、ユーザによる指示に基づき、画像コンテンツ送信サーバ部１１０による画像コンテンツの閲覧を提供する処理を説明するシーケンス図である。図８の処理は、例えば、図３の処理により、統合サーバ１００が提供することのできるサービスのリストが表示された後に行われるとよい。
【００７０】
図８のステップＳ３０１では、ＵＩ処理部２５０から画像コンテンツ受信クライアント部２１０に対し、ユーザにより選択されたサービスが画像コンテンツ送信サービスである旨の指示に基づいて、統合サーバ１００が管理する画像コンテンツのリストを取得する要求が出力される。なお、この要求は、ＵＩ処理部２５０により表示部２６０に表示されたサービスのリストに基づいて、操作者が画像コンテンツ閲覧サービスを選択した場合に出力される。
【００７１】
ステップＳ３０１に続いてステップＳ３０２に進み、画像コンテンツ受信クライアント部２１０から画像コンテンツ送信サーバ部１１０に対し、ステップＳ３０１の要求に基づく、統合サーバ１００が管理する画像コンテンツのリストを取得する要求が出力される。
【００７２】
ステップＳ３０２に続いてステップＳ３０３に進み、画像コンテンツ送信サーバ部１１０からアクセス制御部１３０に対し、アクセスの可否の問い合わせが出力される。この問い合わせに基づいて、アクセス制御部１３０は、ステップＳ３０２の要求等の通信内容から、アクセス元の画像表示装置のＭＡＣアドレスを取得する。
【００７３】
アクセス制御部１３０は、さらに、アクセス許可リストを閲覧し、取得されたＭＡＣアドレスに対応するアクセス可否状態に係る状態を参照する。ＭＡＣアドレスに対応するアクセス可否状態に係る情報がアクセス許可リストに存在し、かつ、アクセス可否に係る情報の内容が「許可」である場合には、その画像表示装置２００に対する統合サーバ１００の利用を許可することとする。一方、ＭＡＣアドレスに対応するアクセス可否に係る情報の内容が「拒否」の場合、又は、アクセス許可リスト内に該当するＭＡＣアドレスが存在しない場合には、コンテンツリスト取得失敗を画像表示装置に通知することとする。
【００７４】
ステップＳ３０３に続いてステップＳ３０４に進み、アクセス制御部１３０から画像コンテンツ送信サーバ部１１０に対し、ステップＳ３０３の問い合わせに対応するアクセス可否応答が出力される。このアクセス可否応答は、ステップＳ３０３の問い合わせに基づいて、アクセス制御部１３０において取得されたものである。
【００７５】
ステップＳ３０４の処理の後、ステップＳ３０３の問い合わせに基づいて取得されたアクセス可否に係る情報の内容により、ステップＳ３０５又はステップＳ３１０の何れかに進む。より詳細には、アクセス可否に係る情報の内容が、「アクセス可」の場合には、ステップＳ３０５に進み、アクセス可否に係る情報の内容が、「アクセス否」の場合には、ステップＳ３１０に進む。
【００７６】
ステップＳ３０４に続くステップＳ３０５では、画像コンテンツ送信サーバ部１１０から画像コンテンツ受信クライアント部２１０に対し、統合サーバ１００が提供する画像コンテンツの識別情報のリストが提供される。画像コンテンツの識別情報のリストは、統合サーバ１００が提供することのできる画像コンテンツを検索することにより取得されてもよい。
【００７７】
ステップＳ３０５に続いてステップＳ３０６に進み、画像コンテンツ受信クライアント部２１０からＵＩ処理部２５０に対し、画像コンテンツの識別情報のリストを含む応答が出力される。この応答は、ステップＳ３０１で出力されたコンテンツのリストを取得する要求に対応する。
【００７８】
ステップＳ３０６で出力された応答に含まれる画像コンテンツのリストに基づいて、ＵＩ処理部２５０が、そのリストを表示部２６０に表示する画面を生成し、表示部２６０が、その画面を表示する。これにより、操作者が、表示されたリストから、取得したい画像コンテンツの識別情報を、入力受付部２７０により指示することができる。
【００７９】
ステップＳ３０６に続いてステップＳ３０７に進み、ＵＩ処理部２５０から画像コンテンツ受信クライアント部２１０に対し、操作者により指示された画像コンテンツを取得する要求が出力される。この要求には、指示された画像コンテンツの識別情報が含まれるとよい。
【００８０】
ステップＳ３０７に続いてステップＳ３０８に進み、画像コンテンツ受信クライアント部２１０から画像コンテンツ送信サーバ部１１０に対し、画像コンテンツの取得要求が送信される。この取得要求には、画像コンテンツの識別情報が含まれるとよい。この取得要求に基づいて、画像コンテンツ送信サーバ部１１０が、管理されている画像コンテンツの中から、取得要求に含まれる識別情報を有する画像コンテンツを選択する。
【００８１】
ステップＳ３０８に続いてステップＳ３０９に進み、画像コンテンツ送信サーバ部１１０から画像コンテンツ受信クライアント部２１０に対し、画像コンテンツのデータが送信される。画像コンテンツ受信クライアント部２１０は、受信した画像コンテンツを再生し、ＵＩ処理部２５０により、表示部２６０に表示させる。これにより、操作者が画像コンテンツを閲覧することができる。なお、画像コンテンツが符号化されている場合には、画像コンテンツ受信クライアント部２１０は、画像コンテンツの復号を行ってよい。
【００８２】
一方、ステップＳ３０４に続くステップＳ３１０では、画像コンテンツ送信サーバ部１１０から画像コンテンツ受信クライアント部２１０に対し、画像コンテンツのリストが取得できない旨を通知するリスト取得失敗が応答される。
【００８３】
なお、画像コンテンツ送信サーバ部１１０が送信する画像コンテンツは、動画像又は静止画像のいずれでもよい。送受信のプロトコルには、例えば、ＲＴＰ（Ｒｅａｌ−ｔｉｍｅ  Ｔｒａｎｓｐｏｒｔ  Ｐｒｏｔｏｃｏｌ）やＨＴＴＰ（Ｈｙｐｅｒｔｅｘｔ  Ｔｒａｎｓｐｏｒｔ  Ｐｒｏｔｏｃｏｌ）を用いるとよいが、その他のトランスポートプロトコルを利用してもよい。
【００８４】
＜遠隔操作処理＞
図９は、遠隔操作サーバ部１２０により、統合サーバ１００が画像表示装置２００から遠隔操作されることにより、画像コンテンツの閲覧を可能にする処理を説明する図である。図９の処理は、例えば、図３の処理により、統合サーバ１００が提供することのできるサービスのリストが表示された後に行われるとよい。
【００８５】
図９のステップＳ４０１では、ＵＩ処理部２５０から遠隔操作クライアント部２２０に対し、遠隔操作開始を要求するメッセージの出力の要求が出力される。なお、この要求は、ＵＩ処理部２５０により表示部２６０に表示されたサービスのリストに基づいて、操作者が遠隔操作機能を選択した場合に出力される。
【００８６】
ステップＳ４０１に続いてステップＳ４０２に進み、遠隔操作クライアント部２２０から遠隔操作サーバ部１２０に対し、ステップＳ４０１の要求に基づく、遠隔操作を開始する要求メッセージが出力される。
【００８７】
ステップＳ４０２に続いてステップＳ４０３に進み、遠隔操作サーバ部１２０からアクセス制御部１３０に対し、アクセスの可否の問い合わせが出力される。この問い合わせに基づいて、アクセス制御部１３０は、ステップＳ４０２の要求等の通信内容から、アクセス元の画像表示装置のＭＡＣアドレスを取得する。
【００８８】
アクセス制御部１３０は、さらに、アクセス許可リストを閲覧し、取得されたＭＡＣアドレスに対応するアクセス可否状態に係る状態を参照する。ＭＡＣアドレスに対応するアクセス可否状態に係る情報がアクセス許可リストに存在し、かつ、アクセス可否に係る情報の内容が「許可」である場合には、その画像表示装置２００に対する統合サーバ１００の利用を許可することとする。一方、ＭＡＣアドレスに対応するアクセス可否に係る情報の内容が「拒否」の場合、又は、アクセス許可リスト内に該当するMACアドレスが存在しない場合には、コンテンツリスト取得失敗を画像表示装置に通知することとする。
【００８９】
ステップＳ４０３に続いてステップＳ４０４に進み、アクセス制御部１３０から遠隔操作サーバ部１２０に対し、ステップＳ４０３の問い合わせに対応するアクセス可否応答が出力される。このアクセス可否応答は、ステップＳ４０３の問い合わせに基づいて、アクセス制御部１３０において取得されたものである。
【００９０】
ステップＳ４０４の処理の後、ステップＳ４０３の問い合わせに基づいて取得されたアクセス可否に係る情報の内容により、ステップＳ４０５又はステップＳ４１０の何れかに進む。より詳細には、アクセス可否に係る情報の内容が、「アクセス可」の場合には、ステップＳ４０５に進み、アクセス可否に係る情報の内容が、「アクセス否」の場合には、ステップＳ４１０に進む。
【００９１】
ステップＳ４０４に続くステップＳ４０５では、遠隔操作サーバ部１２０が、統合サーバ１００が提供することのできる画像コンテンツの識別情報のリストを取得する。ステップＳ４０５に続いてステップＳ４０６に進み、遠隔操作サーバ部１２０が、統合サーバ１００に接続される表示装置に、ステップＳ４０５で取得された画像コンテンツの識別情報のリストを表示させる。
【００９２】
ステップＳ４０６に続いてステップＳ４０７に進み、遠隔操作サーバ部１２０から遠隔操作クライアント部２２０に対し、ステップＳ４０６で表示される画面のデータが送信される。この画面は、例えば、デスクトップ画面である。なお、送信される画面のデータは、デスクトップ画面の画像が圧縮されたものでもよい。また、送信される画面のデータは、動画像又は静止画像の何れでもよい。なお、デスクトップ画面のデータを取得するタイミングは、定期的であってもよく、また、デスクトップ画面に変更が生じた場合に行ってもよい。
【００９３】
ステップＳ４０７に続いてステップＳ４０８に進み、遠隔操作クライアント部２２０からＵＩ処理部２５０に対し、ステップＳ４０７で送信されたデスクトップ画面のデータが出力される。このデータに基づいて、ＵＩ処理部２５０がデスクトップ画面を表示部２６０に表示させる。なお、デスクトップ画面のデータが圧縮されている場合には、遠隔操作クライアント部２２０は、そのデータを復号する。
【００９４】
ステップＳ４０８に続くステップＳ４０９では、ＵＩ処理部２５０から遠隔操作クライアント部２２０に対し、画像表示装置２００が有する入力受付部２７０から入力された情報が出力される。この情報は、例えば、表示部２６０に表示される画面における座標等であり、図示しないマウスやキーボード等のデバイスから入力される情報に基づくとよい。
【００９５】
入力される情報は、より詳細には、例えば、マウスカーソルの移動要求、マウスボタンの押下時と同じ操作要求等である。なお、マウスカーソルの移動要求は、例えば、表示される画面におけるマウスカーソル相対位置又は絶対位置の情報である。入力される情報は、また、例えば、キーボード操作による要求であって、例えば、特定のキーの押下時と同じ操作要求などである。
【００９６】
ステップＳ４０９に続いてステップＳ４１０に進み、遠隔操作クライアント部２２０から遠隔操作サーバ部１２０に対し、ステップＳ４０９で出力された入力情報が送信される。ステップＳ４１０に続いてステップＳ４１１に進み、遠隔操作サーバ部１２０が、ステップＳ４１０で送信された入力情報に基づいて、デスクトップ画面の対応する座標の情報から、操作者が指示した画像コンテンツの識別情報を取得し、図示しない表示装置にその画像コンテンツを表示させることにより再生を行う。これにより、デスクトップ画面における画像コンテンツの再生が実現される。
【００９７】
ステップＳ４１１に続いてステップＳ４１２に進み、遠隔操作サーバ部１２０から遠隔操作クライアント部２２０に対し、デスクトップ画面のデータが送信される。ステップＳ４１２に続いてステップＳ４１３に進み、遠隔操作クライアント部２２０からＵＩ処理部２５０に対し、ステップＳ４１２で送信されたデスクトップ画面の表示の要求が出力される。この要求は、デスクトップ画面のデータを含むとよい。この要求に基づいて、ＵＩ処理部２５０が、表示部２６０にデスクトップ画面を表示させる。なお、デスクトップ画面のデータが圧縮されている場合には、遠隔操作クライアント部２２０は、そのデータを復号する。
【００９８】
＜機能切り替え手順＞
画像コンテンツ閲覧機能から遠隔操作機能へ、操作者の指示により切り替える処理について、説明する。例えば、ユーザが、画像コンテンツ閲覧機能を使って閲覧したいコンテンツを選択したものの、そのコンテンツが画像表示装置で表示できないことがある。例えば、画像表示装置２００が表示できる画像のサイズ、動画のビットレート、又は、画像フォーマット等が、指定された画像コンテンツを再生する際に必要とされる仕様を満たさない場合に、そのようなことが生じる。また例えば、統合サーバ１００と画像表示装置２００との間のネットワークの利用可能帯域が、指定された画像コンテンツのビットレートより狭い場合にも、そのようなことが生じる。
【００９９】
そこで、画像のサイズ、動画のビットレート、又は、画像フォーマットの情報が、画像コンテンツの属性情報に含まれている場合には、その属性情報を参照することにより、画像表示装置２００による表示の仕様を満たすか否かの判断を行うとよい。画像コンテンツの属性情報が、画像コンテンツの識別情報のリストに含まれている場合には、そのリストに含まれている属性情報を参照することにより、画像コンテンツのデータにアクセスすることなく、画像表示装置２００による表示の仕様を満たすか否かの判断を行うことができる。
【０１００】
また、ネットワークの利用帯域が、画像コンテンツのビットレートよりも小さいか否かの判断は、画像表示装置２００が、画像コンテンツのデータを受信し、表示を行うことにより、表示スピードに受信スピードが追いつかないか否かを判断するとよい。
【０１０１】
画像コンテンツ閲覧機能による画像コンテンツの再生ができない場合には、ユーザが、入力受付部２７０にその旨の指示を入力するとよい。入力された情報が、ＵＩ処理部２５０を通じて処理されることにより、遠隔操作機能に切り替えられる。
【０１０２】
遠隔操作機能により、ユーザが指定する画像コンテンツを統合サーバ１００に接続される表示装置に表示される再生を行い、そのデスクトップ画面が画像表示装置２００に送信されることにより、ユーザがその画像コンテンツを閲覧することができる。
なお、統合サーバ１００の処理能力やネットワークの帯域の広さによっては、フレームレートの低下等は発生する。
【０１０３】
図１０は、画像表示装置２００の表示部２６０に表示される画面の例である。例えば、上記を含む状況により、画像コンテンツ閲覧機能による画像コンテンツの閲覧ができないと判断された場合には、ユーザがスムーズに遠隔操作機能による閲覧に移行できるよう、「遠隔操作機能を使って閲覧してください」等のメッセージを提示することが望ましい。
【０１０４】
このようなメッセージの提示は、統合サーバ１００が画像コンテンツ送信サーバ部１１０と遠隔操作サーバ部１２０との双方を有する場合に、行うのがよい。そこで、画像コンテンツ送信サーバ部１１０は有するものの、遠隔操作サーバ部１２０を持たない統合サーバ１００から画像コンテンツを取得しようとして表示できなかったのか、画像コンテンツ送信サーバ部１１０と遠隔操作サーバ部１２０との両方を持つ統合サーバ１００から画像コンテンツを取得しようとして表示できなかったのかを確認し、両方持つパソコンであった場合のみ、上記のメッセージを提示するとよい。
【０１０５】
図１０のメッセージｂは、「指定したコンテンツを、遠隔操作機能を使って閲覧しますか？」という旨の操作者による入力を促すメッセージである。このメッセージが表示された画面に基づいて、ユーザが「はい」を選択して入力した場合に、遠隔操作サーバへの接続を開始するとよい。
【０１０６】
以上説明したように、本実施の形態によれば、画像コンテンツ送信機能と遠隔操作機能とのアクセス制御に関する設定を一度に行うことができ、双方の機能を使い分けながら画像コンテンツを閲覧することを容易にすることができる。また、画像コンテンツを閲覧する画像表示装置において、画像コンテンツ送信機能と遠隔操作機能との何れか一方を選択するユーザインタフェースを同一のプログラムで実現すること、及び、画像コンテンツ送信機能で閲覧できない場合に遠隔操作機能を利用するようユーザに通知することにより、画像コンテンツ送信機能から遠隔操作機能へ移る際のユーザの負担を軽減することができる。
【０１０７】
（コンピュータ等による実現）
なお、本発明の実施の形態に係る統合サーバ１００及び画像表示装置２００は、例えばパーソナルコンピュータ（ＰＣ）等で実現されてもよい。また、本実施形態に係る統合サーバ１００及び画像表示装置２００は、例えば、ＣＰＵがＲＯＭやハードディスク装置等に記憶されたプログラムに従い、ＲＡＭ等のメインメモリをワークエリアとして使用し、実行されるとよい。
【０１０８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０９】
【図１】統合サーバ１００と画像表示装置２００とが動作するシステム構成を示す図である。
【図２】統合サーバ１００及び画像表示装置２００の機能ブロックを説明する図である。
【図３】サービス発見の手順を説明するシーケンス図である。
【図４】ＵＰｎＰを用いる場合のメッセージＭ３３の構成例を示す図である。
【図５】ＵＰｎＰを用いる場合のサービス発見のシーケンスにおけるメッセージの詳細を示す図である。
【図６】統合サーバ１００が有するサービスへのアクセス制御の手順を説明する図である。
【図７】アクセス制御部１３０の存在及びその利用方法に係る情報とを含むメッセージＭ３３の例である。
【図８】画像コンテンツ送信サーバ部１１０による画像コンテンツの閲覧を提供する処理を説明するシーケンス図である。
【図９】統合サーバ１００が画像表示装置２００から遠隔操作されることにより、画像コンテンツの閲覧を可能にする処理を説明する図である。
【図１０】画像表示装置２００の表示部２６０に表示される画面の例である。
【符号の説明】
【０１１０】
１１０  画像コンテンツ送信サーバ部
１２０  遠隔操作サーバ部
１３０  アクセス制御部
１４０  サービス広告部
１９０  通信ＩＦ部
２００  画像表示装置
２１０  画像コンテンツ受信クライアント部
２２０  遠隔操作クライアント部
２３０  アクセス要求部
２４０  サービス発見部
２５０  ＵＩ処理部
２６０  表示部
２７０  入力受付部
２９０  通信ＩＦ部
３００  無線ＬＡＮアクセスポイント
８００  ネットワーク
【図１】
2010056966.tif 000003
【図２】
2010056966.tif 000004
【図３】
2010056966.tif 000005
【図４】
2010056966.tif 000006
【図５】
2010056966.tif 000007
【図６】
2010056966.tif 000008
【図７】
2010056966.tif 000009
【図８】
2010056966.tif 000010
【図９】
2010056966.tif 000011
【図１０】
2010056966.tif 000012